(57)【特許請求の範囲】
【請求項１】
粒状物の集合体を含む動物用トイレ砂であって、
前記粒状物のそれぞれは、無機多孔質材料で構成される粒状基材と、水硬性の固化材と、水溶性の増粘剤を含むように構成されている動物用トイレ砂。
【請求項２】
請求項１に記載の動物用トイレ砂であって、前記粒状物は、主成分である前記粒状基材に対して、前記固化材および増粘剤が添加された状態にて構成されていることを特徴とする動物用トイレ砂。
【請求項３】
請求項１または２に記載の動物用トイレ砂であって、
前記増粘剤は、水溶性セルロースおよび変性セルロースの少なくとも一つであることを特徴とする動物用トイレ砂。
【請求項４】
請求項１から３までのいずれか１項に記載の動物用トイレ砂であって、
前記増粘剤は、アルキルセルロースおよびヒドロキシルセルロースの少なくとも一つであることを特徴とする動物用トイレ砂。
【請求項５】
請求項１から４までのいずれか１項に記載の動物用トイレ砂であって、
前記粒状基材はゼオライト系材料であることを特徴とする動物用トイレ砂。
【請求項６】
請求項１から５までのいずれか１項に記載の動物用トイレ砂であって、
前記固化材はセメント系固化材であることを特徴とする動物用トイレ砂。
【請求項７】
請求項１から６までのいずれか１項に記載の動物用トイレ砂であって、
前記粒状物の一粒単位の重量が０．１〜０．４グラムに設定されていることを特徴とする動物用トイレ砂。
【請求項８】
請求項１から７までのいずれか１項に記載の動物用トイレ砂であって、
前記粒状物の一粒単位の粒長が５〜２０ミリメートルに設定されていることを特徴とする動物用トイレ砂。
【請求項９】
請求項１から８までのいずれか１項に記載の動物用トイレ砂であって、
前記粒状物の一粒単位の粒径が、３〜８ミリメートルに設定されていることを特徴とする動物用トイレ砂。
【請求項１０】
請求項１から９までのいずれか１項に記載の動物用トイレ砂であって、
さらに消臭材としてシリカゲル系材料を含むことを特徴とする動物用トイレ砂。
【請求項１１】
請求項１から１０までのいずれか１項に記載の動物用トイレ砂であって、
前記粒状物における前記固化材の含有量が２０重量パーセント、前記増粘剤の含有量が１重量パーセント以内にて構成されていることを特徴とする動物用トイレ砂。
【請求項１２】
請求項１から１１までのいずれか１項に記載の動物用トイレ砂であって、
前記粒状物のそれぞれは、無機多孔質材料で構成される粒状基材と、水硬性の固化材と、水溶性の増粘剤を含むとともに、前記各粒状物における一粒単位の平均密度が、０．００１０〜０．００１２ｇ／ｍｍ２となるように設定されている動物用トイレ砂。
【請求項１３】
動物用トイレ砂収納容器と、前記動物用トイレ砂収納容器に敷設される動物用トイレ砂と、前記動物用トイレ砂収納容器の下部に配設される吸液シート収納容器とを有する動物用トイレであって、前記動物用トイレ砂として請求項１から１２までのいずれか１項に記載の動物用トイレ砂が用いられていることを特徴とする動物用トイレ。
【発明の詳細な説明】
【技術分野】
【０００１】
本発明は、猫や犬等の動物につき、そのトイレ用の敷材として使用される動物用トイレ砂に関する。
【背景技術】
【０００２】
特開２００９−１２５０００号公報（特許文献１）は、無機多孔質材料と、シリカゲルと、それらを一体的に固定する水硬性の無機固化材を有する粒状物が複数集められた動物用トイレ砂を開示している。
【０００３】
動物用トイレ砂に関し、室内で飼育される動物、とくに猫は、自身の排泄物を砂に埋めて隠す習性を有し、トイレでの排泄の後で、トイレ砂をかき混ぜる習性、すなわち「砂かき行動」を有することが知られている。
【０００４】
この砂かき行動の際に、粒状物がトイレから飛散し易くなるのを防止する対策として、従来においては、動物用トイレ砂を製造する際、無機多孔質材料とシリカゲルおよび水硬性の無機固化材を混合し、加水下にて造粒する過程において、水溶状の混合物における固化材が硬化するまでの間、当該水溶状の混合物に圧力を作用させることにより、相対的に密度の高い粒状物を形成し、これによって上記砂かき行動においても各粒状物が飛散しにくい動物用トイレ砂を確保している。
【０００５】
しかしながら、このように強い圧力を作用させて、固化材による硬化に至るまでの時間帯において水溶混合物を圧着し続けることで粒状物の保形性を確保する場合、その重量増大により飛散抑制効果は相応に得られるものの、当該動物用トイレ砂の粒状物の密度が大きくなってしまい、ひいては粒状物の重量が徒に増大してしまい、材料の無駄、コストの低減効果抑止といった各種の問題点が生じる。
【０００６】
【特許文献１】特開２００９−１２５０００号公報
【発明の開示】
【発明が解決しようとする課題】
【０００７】
本発明は、上記に鑑み、動物用トイレ砂において、その重量を徒に増大することなく、各粒状物が飛散することを効果的に防止するのに資する技術を提供することを目的とする。
【課題を解決するための手段】
【０００８】
上記課題は特許請求の範囲記載の発明によって解決される。本発明に係る動物用トイレ砂は、粒状物の集合体を含み、前記粒状物のそれぞれは、無機多孔質材料で構成される粒状基材と、水硬性の固化材と、水溶性の増粘剤を含むように構成されている。
【０００９】
上記動物用トイレ砂において、前記粒状物は、主成分である前記粒状基材に対して、前記固化材および増粘剤が添加された状態にて構成されていることが好ましい。
【００１０】
また上記動物用トイレ砂において、前記増粘剤は、水溶性セルロースまたは変性セルロースであることが好ましい。
【００１１】
また上記動物用トイレ砂において、前記増粘剤は、アルキルセルロースまたはヒドロキシルセルロースの少なくとも一つであることが好ましい。
【００１２】
また上記動物用トイレ砂において、前記粒状基材はゼオライト系材料であることが好ましい。一方、ベントナイト系材料を用いることも可能である。
【００１３】
また上記動物用トイレ砂において、前期固化材はセメント系固化材であることが好ましい。
【００１４】
また上記動物用トイレ砂において、前記粒状物の一粒単位の重量が０．１〜０．４グラムに設定されていることが好ましい。
【００１５】
また上記動物用トイレ砂において、前記粒状物の一粒単位の粒長が５〜２０ミリメートルに設定されていることが好ましい。
【００１６】
また上記動物用トイレ砂において、前記粒状物の一粒単位の粒径が、３〜８ミリメートルに設定されていることが好ましい。
【００１７】
また上記動物用トイレ砂において、さらに消臭材としてシリカゲル系材料を含むことが好ましい。
【００１８】
また上記動物用トイレ砂において、前記粒状物における前記固化材の含有量が２０重量パーセント、前記増粘剤の含有量が１重量パーセント以内にて構成されていることが好ましい。
【００１９】
さらに、動物用トイレ砂収納容器と、前記動物用トイレ砂収納容器に敷設される動物用トイレ砂と、前記動物用トイレ砂収納容器の下部に配設される吸液シート収納容器とを有する動物用トイレであって、前記動物用トイレ砂として上述した動物用トイレ砂が用いられる動物用トイレを構築するのが好ましい。
【発明の効果】
【００２０】
本発明によれば、動物用トイレ砂につき、その構成要素である各粒状物の重量を徒に増大することなく、当該粒状物が飛散することを効果的に防止することが可能な動物用トイレ砂が提供されることとなった。
【図面の簡単な説明】
【００２１】
【図１】本発明の実施の形態に係る動物用トイレ砂が用いられた動物用トイレの構成を示す斜視図である。
【図２】図１に係る動物用トイレの各部の構成を示す斜視図である。
【発明を実施するための最良の形態】
【００２２】
以下、本発明を実施するための形態に基づいて説明する。
本発明においては、粒状物の集合体を含む動物用トイレ砂であって、当該粒状物のそれぞれが、無機多孔質材料で構成される粒状基材と、水硬性の固化材と、水溶性の増粘剤を含むように構成される。
【００２３】
本発明において動物用トイレ砂を構成する「粒状物の集合体」は、とりわけ動物の排泄物に係る液体の通過を許容しつつ、その臭気を抑制する役割を果たすものであり、無機多孔質材料による粒状基材を主体として構成されている。
【００２４】
そして当該粒状基材を構成する「無機多孔質材料」としては、ゼオライト、ベントナイト、セピオライト、アタパルジャイト、珪藻土、珪藻頁岩などといった材料の中から一または複数を適宜に選択して適用することができる。本発明においては、無機多孔質材料を粒状物の主体的構成要素である粒状基材に用いることにより、消臭能力に優れた動物用トイレ砂を構築することができる。  
【００２５】
とくに本発明における粒状基材は、ゼオライト系材料にて構成するのが好ましい。ゼオライト系材料は主成分が粘土の一種で形成されているため、吸着性、陽イオン交換能、すなわち臭気抑止性、および排泄床としての適切な柔軟性のいずれにも優れる素材である。
【００２６】
本発明における粒状基材の含有量として、好ましくは略５０〜９５質量パーセント、さらに好ましくは略７０〜９０質量パーセントの中から適宜に選択される。粒状基材の含有量が５０質量パーセントを下回る場合には、粒状物の消臭能力低減が問題化する可能性があり、９５質量パーセントを上回る場合には、粒状物の強度低減が問題化する可能性があるからである。本発明の好適な実施形態の一例では、粒状基材としてゼオライトを７４〜７５質量パーセント程度配合した粒状物が選択される。
【００２７】
本発明に係る固化材における「水硬性」とは、水との反応によって硬化することで強度を呈するとともに、その後に水を付与しても当該強度が低下しない性質をいう。ここで「水硬性の固化材」としては、無機系の水硬性硬化材を用いることが好ましく、典型的にはセメント系材料により、または非セメント系材料により、あるいはセメント系材料に非セメント系材料を加えて固化材を構成することが好ましい。本発明における「セメント系材料」は、ケイ酸カルシウムを主成分とし、水と水和反応することで硬化する固化剤として構成されるものであり、例えば、ポルトランドセメントやホワイトセメント等が用いられ得る。
【００２８】
また固化材の、ひいては粒状物のＰＨ値（ペーハー値）を低減させるべく、低アルカリセメントを用いることが好ましい。低アルカリセメントとは、セメント中に含まれるアルカリ金属（Ｎａ、Ｋ）が所定の含有量以下に調整されたものである。これにより固化材が包含される粒状物全体のＰＨ値（ペーハー値）を低下させることができ、動物用トイレを利用する動物の身体への負担低減に資するとともに、動物の排泄物からアンモニアが発生することを抑制することにも資する。
【００２９】
また本発明における非セメント系材料は、セメント以外の固化剤、即ち、ケイ酸カルシウムを主成分としていない固化剤であり、例えば、ドロマイト、酸化カルシウム、硫酸カルシウム、酸化マグネシウム等の中から一または複数を適宜に選択することができる。とくに硫酸カルシウムないし酸化マグネシウムを主成分とする水硬性の固化材を用いる場合、これらは略中性の性質を示し、固化材の硬化時に生成される水酸化マグネシウムも弱塩基性を呈することになる。これにより上記ＰＨ値の低減効果ないしはアンモニアの発生抑制効果を向上することが可能になる。
【００３０】
本発明に係る粒状物における固化材の含有量は、好ましくは５〜３０質量パーセント、更に好ましくは１０〜２０質量パーセントである。固化材全体の含有量が５質量パーセントを下回る場合には、粒状物が十分な強度を得られないおそれがある。また、固化材全体の含有量が３０質量パーセントを上回る場合には、粒状物の消臭効果が低下するおそれがある。また、固化材として無機系固化材を用いる場合のセメントの含有量は、好ましくは４０質量パーセント以上、更に好ましくは５０質量パーセント以上である。セメントの含有量が４０質量パーセント未満の場合には、粒状物が十分な強度を得られないおそれがある。
【００３１】
固化材として硫酸カルシウム及び酸化マグネシウムを主成分とする場合、当該固化剤中における硫酸カルシウムの含有量は、好ましくは５０〜９５質量％、酸化マグネシウムの含有量は、好ましくは５〜５０質量％である。尚、ここで硫酸カルシウムの含有量は、無水物に換算した場合における含有量を示している。
本発明における硫酸カルシウム及び酸化マグネシウムを主成分とする水硬性の固化剤は、硫酸カルシウム及び酸化マグネシウム以外の成分を含有していてもよい。このような成分としては、硬化促進剤や他の金属酸化物が挙げられる。硬化促進剤としては、バリウム、マグネシウム、カルシウム、ナトリウム、カリウム、リン等の塩化物、硝酸塩、亜硝酸塩、硫酸塩、亜硫酸塩等の無機塩類が挙げられる。他の金属酸化物としては、バリウム、カルシウム、ナトリウム、カリウム、リン、アルミニウム、ケイ素、鉄等の酸化物が挙げられる。硫酸カルシウム及び酸化マグネシウムを主成分とする水硬性の固化剤中における硫酸カルシウム及び酸化マグネシウム以外の成分の含有量は、好ましくは２０質量％以下、更に好ましくは１０質量％以下である。
【００３２】
本発明における「増粘剤」とは、加水下において粒状基材および水硬性の固化材が、水溶状態に置かれている場合に、その粘性を増大することが可能な材料であり、例えば、セルロース系増粘剤、デンプン系増粘剤、無機系増粘剤、ガムなどの増粘剤のうちの一または複数が適宜に選択の上で適用可能とされている。
【００３３】
当該増粘剤に関し、とりわけ本発明においては、これを水溶性セルロースまたは変性セルロースにて構成し、ないしはアルキルセルロースまたはヒドロキシルセルロースの少なくとも一つによって構成することが好ましい。増粘剤としての好ましい特性として、粘性が２０００ｍｐａ・ｓ（メガパスカル・秒）以上に設定されるのが好ましい。本発明における実施態様としては、一例としてアルキルセルロースが増粘材として用いられている。
【００３４】
本発明の増粘剤としてセルロース系の材料を用いる場合、その分子量としては種々の値を設定し得るが、いずれにしても不要に密度の高い粒状物の形成を阻止する観点において、当該増粘材の粘性値自体を大きくすることが好ましい。
【００３５】
本発明に係る粒状物は、主成分である粒状基材に対して、固化材および増粘材が添加された状態にて構成される。添加の態様としては、当該粒状物の形成工程において、加水下にて粒状基材と固化材と増粘材を混合し、結果として、粒状基材を主成分として固化材および増粘材が添加された状態の動物用トイレ砂を構成することが好ましい。
【００３６】
かくして上記動物用トイレ砂の構成によれば、当該動物用トイレ砂を形成する際、加水時において、水硬性の固化材が粒状基材を固化させるのに要する時間帯につき、水溶性の増粘剤が水溶状態とされた粒状物の粘性を増大させることにより、粒状物の保形性を確保することが可能になることで、粒状物ないし粒状物の集合体に係る重量及び密度を適正範囲に設定しつつ、動物による砂かけ行動等に起因する粒状物の飛散を効果的に抑制することが可能な動物用トイレ砂が提供される。
【００３７】
また本発明の更なる好ましい態様として、固化材はセメント系固化材にて構成される。
【００３８】
また本発明の更なる好ましい態様として、粒状物の一粒単位の重量が略０．１〜０．４グラムに設定される。
【００３９】
また本発明の更なる好ましい態様として、粒状物の一粒単位の粒長が略５〜２０ミリメートルに設定され、さらに粒状物の一粒単位の粒径が、略３ミリメートル〜８ミリメートルに設定される。粒状物の一粒単位の粒長が短すぎる場合、動物の身体、例えば前足の指等に粒状物が挟まってしまい、結果として粒状物の飛散を促進してしまうことになる。一方、当該粒長が長すぎる場合、粒状物の外観が大きくなり過ぎてしまい、動物が排泄を嫌がってしまう傾向が生じる。本発明によれば、粒状物の一粒単位の粒長の最適範囲が設定されて、これらの問題が解決される。また粒状物の一粒単位の粒径についても同様であって、粒径が細すぎると、動物の身体、例えば前足の指等に粒状物が挟まってしまい、結果として粒状物の飛散を促進してしまうことになる。一方、当該粒径が太すぎる場合、粒状物の外観が大きくなり過ぎてしまい、動物が排泄を嫌がってしまう傾向が生じる。
【００４０】
また本発明の更なる好ましい態様として、消臭材としてシリカゲル系材料が含まれた動物用トイレ砂が構成される。シリカゲル系材料は、その多孔質性の構造ゆえに、質量と比較した場合の表面積が広く、排泄物の吸収性能、アンモニア等の臭気成分に関する脱臭能力、当該脱臭能力の継時的持続性のいずれにおいても優れている。
【００４１】
本発明において用いられるシリカゲルとしては、Ａ型シリカゲル、Ｂ型シリカゲル、及びＣ型シリカゲルのいずれも用いることができる。とりわけ、細孔が多くアンモニアや水の吸着容量に優れる点から、Ｃ型シリカゲルを用いることが好ましい。本発明における粒状物中のシリカゲルの含有量は、略５質量％（パーセント）程度であることが好ましい。シリカゲルの含有量が少なすぎると消臭能力の低減が問題化し、またシリカゲルの含有量が多すぎると消臭能力は増大するものの、粒状物の強度低減が問題化するためである。
【００４２】
また本発明の粒状物においては、固化材の含有量が略２０重量パーセント、増粘剤の含有量が略１重量パーセント以内となるように構成することが好ましい。
一つの具体例としては、粒状基材を７４．８質量パーセント、固化材を２０質量パーセント、シリカゲルを５質量パーセント、セルロース系の増粘剤を０．２質量パーセントの配合比率で含有した動物用トイレ砂が構成される。固化材については、少なすぎると、粒状物の強度低減が問題化し、使用中に粒状物の破損が頻発し、ひいては粉状にとなって飛散し、あるいはトイレの網目部材の目詰まりを起こすといった懸念が生じる。一方、固化材の配合が多すぎると、その分、粒状基材やシリカゲルといった消臭用材料の配合比率が相対的に減少し、消臭能力の低減が問題化することになる。
【００４３】
本発明における粒状物は、はっ水水処理が施されていることが好ましい。粒状物にはっ水処理を施すことにより、粒状物の液透過率が向上する。また、粒状物に尿等の液体が吸収されにくくなり、粒状物の寿命を伸ばすことができる。更に、粒状物への液残りが低減され、臭いの発生を低減させることもできる。
はっ水処理は、例えば粒状物の表面に撥水剤をスプレー塗布することにより行うことができる。はっ水剤としては、パラフィンワックス等のワックス系樹脂、シリコン系樹脂、フッ素系樹脂等を用いることができる。
粒状物の表面にはっ水剤を塗布する場合、その塗布量は、粒状物の質量に対して、好ましくは０．０５〜１質量％、更に好ましくは０．１〜０．５質量％である。
【００４４】
また本発明における粒状物は、香料を含有していることが好ましい。香料のマスキング効果により、尿や糞等の臭いを抑えることができる。香料としては、例えばゲランオール、シトロネロール、シトラール、オイゲノール、フェネチルアルコール、チモール、リナロール、青葉アルコール、メントール、ベンジルアルコール等のアルコール類や、ヘキシルシンナムアルデヒド等のアルデヒド類が好ましく用いられる。
【００４５】
本発明における粒状物は、球状、円柱状等、適宜に形状を採択可能であるが、使用時に飛び散りを極力抑制する観点から円柱状に造粒することが好ましい。
本発明における粒状物は、例えば、ディスクペレッター、ブリケットマシーン、打錠機等を用いて造粒することができる。その中でもディスクペレッターを用いて造粒することが好ましい。
【００４６】
また、粒状物を円柱状に造粒する場合、該粒状物の平均粒径（円柱形状の底面の直径）は、好ましくは３〜８ｍｍである。粒状物の平均粒長（円柱形状の高さ）は、好ましくは５〜２０ｍｍである。
この場合、平均粒径は、粒状物２０粒の粒径を測定し、その平均値とする。また、平均粒長は、粒状物５０粒の粒長を測定し、その平均値とする。
【００４７】
本発明における粒状物は、その平均粒ｐＨが１２以下であることが好ましい。粒状物の平均粒ｐＨを１２以下とすることにより、上述したように、動物の足等への負荷を低減することができると共に、アンモニアの発生を抑制することができる。
粒状物の平均粒ｐＨは、以下の〔ｐＨ測定方法〕に従って測定することができる。
【００４８】
〔ｐＨ測定方法〕
粒状物を粉砕し、８０メッシュの篩にかけて篩を通過したものを試験サンプルとする。
試験サンプル１ｇに対し、２．５ｍｌの蒸留水を滴下し、軽く撹拌後、静置する。
３０分後に、ｐＨメーター（ＨＡＮＮＡ ｉｎｓｔｒｕｍｅｎｔｓ社製、Ｓｋｉｎｃｈｅｃｋ）にて、試験サンプルのｐＨを測定する。
【００４９】
本発明における粒状物は、その平均粒強度が、好ましくは３０Ｎ以上、更に好ましくは５０Ｎ以上である。平均粒強度が３０Ｎ未満であると、使用時に粒状物が割れてトイレ砂の飛び散りが生じやすくなるおそれがある。
粒状物の平均粒強度は以下の〔粒強度の測定方法〕に従って測定される。
【００５０】
〔粒強度の測定方法〕
粒状物を、室温２５度、湿度６０％の雰囲気下において２４時間以上放置したものを試験サンプルとして用いる。
試験サンプルの粒状物は、手動ハンドル式デジタルフォースゲージスタンド（日本電産シンポ株式会社製、ＦＧＳ−５０Ｈ）の測定テーブル上に載置する。
デジタルフォースゲージ（日本電産シンポ株式会社製、ＦＧＮ−５０Ｂ）を前記デジタルフォースゲージスタンドに取り付け、該デジタルフォースゲージの計測アダプタ（円筒形：直径１０ミリメートル）の先端が粒状物に当接するようにセットする。
手動でハンドルをゆっくりと回し、計測アダプタで粒状物を圧縮する。粒状物が割れた時点の強度を粒強度測定値とする。
測定は、１０点行い、その平均値を平均粒強度とする。
尚、粒状物が円柱状の場合には、計測アダプタの先端が、該粒状物の高さ方向に対して垂直に当接するようにセットして粒強度を測定する。
【００５１】
上記のように構成された動物用トイレ砂に関しては、さらに、少なくとも、動物用トイレ砂収納容器と、前記動物用トイレ砂収納容器の下部に配設される吸液シート収納容器とを有する動物用トイレを構成し、前記動物用トイレ砂収納容器には、上記した動物用トイレ砂が敷設されるように構成することが好ましい。このような構成の動物用トイレによれば、飛散を効果的に抑制しつつも、重量または密度が適切に設定された動物用トイレ砂が敷設された状態で動物のトイレに供されるため、動物用トイレの使用性を向上することが可能になる。
【００５２】
本発明に係る動物用トイレ砂の製造方法の一例について説明する。
本発明のトイレ砂を構成する粒状物は、無機多孔質性の粒状基材、シリカゲル、固化材および増粘剤を含む混合物から造粒される。先ず、粒状基材、シリカゲル、固化材および増粘剤を所定の割合で混合し、更に水を加えた後、ミキサー等にてダマを発生させないように均一に撹拌混合する。
【００５３】
次に、上記撹拌混合して得られた混合物を粒状に形成する。本発明における粒状化は、例えば、ディスクペレッター、ブリケットマシーン、打錠機等の各種粉体の造粒装置を用いて行われる。なお、本実施の形態では、撹拌混合によって混合物を得る工程と、当該混合物を粒状に形成する工程とを別個に行っているが、撹拌混合作業に際して同時的に粒状化を行う態様であってもよい。
次いで、得られた粒状の混合物は、無機固化材の固化を進行させるため所定時間放置される。この工程は養生工程といわれるものである。養生時間は気温によって異なるが、無機固化材を十分に固化させる観点から７２時間以上行うことが好ましい。
【００５４】
次いで、十分に固化した粒状物を乾燥機で乾燥させる。この乾燥は、例えばロータリーキルン乾燥機を用いて行われる。乾燥は、粒状物の水分率が１０％以下になるように行うことが好ましい。
水分率の測定は、乾燥後の粒状物を更に１１０℃にて２４時間再乾燥させ、再乾燥前後の粒状物の質量の差を粒状物の水分量とし、該水分量を再乾燥前の粒状物の質量で除して求める。得られた粒状物は、篩い分け工程において大小の粒状物を除去し、所定の大きさの粒状物が得られる。このようにして、本発明の動物用トイレ砂が製造される。
【００５５】
本発明の動物用トイレ砂は、液通過率が大きいことから、特に、尿等の水分を吸収する吸液シートの上に、直接又はスノコ等を介してトイレ砂を敷く二重構造タイプの動物用トイレに好適に用いられる。
【実施例】
【００５６】
以下、実施例によって本発明の具体例を更に詳細に説明する。
（１）粒状物原料の撹拌混合、造粒化工程
ゼオライト粉末（宮城県愛子産、６０メッシュパス品、平均粒径１５０μｍ、水分７％以下）６９．８質量パーセント、ホワイトセメント（太平洋セメント株式会社製）２０質量パーセント、Ｃ型シリカゲル（中国青島産）１０質量パーセント、および変性セルロース０．２質量パーセントを混合し、更に水５０質量パーセントを加え、レディゲミキサーにて撹拌混合した。
撹拌混合した混合物をディスクペレッター（株式会社ダルトン製）にて圧縮することによって造粒化した。ディスクの出口開口寸法は、直径５．５ｍｍ、ディスク厚みは３５ｍｍ、有効長は１２ｍｍであった。この際、変性セルロースが水溶状の混合物における増粘剤として機能することになる。本実施の形態においては、４０００ｍｐａ・ｓ（メガパスカル・秒）の粘性が付与されることとなり、以下の養生工程でのセメントの確定的な固化反応よりも前の段階、すなわち混合物が水溶状であって、十分な固化作用が生じていない段階においても、当該増粘作用により混合物の高い保形性が確保され、強い圧縮力を作用させなくても造粒化を行うことが可能とされている。結果として、得られた粒状の混合物は、直径５．５ｍｍ、平均粒長２５ｍｍであった。
【００５７】
（２）養生工程
得られた造粒物を室温２０度において７２時間放置して、セメントの固化反応を進行させた。
【００５８】
（３）乾燥工程
養生工程を経た粒状物を、ロータリーキルン乾燥機を用いて仕上がり水分率が１０％以下になるまで乾燥させた。乾燥工程において、粒状物は収縮し、またその一部に折れが発生した。その結果、乾燥工程後得られた粒状物は、直径５．５ｍｍ、平均粒長９ｍｍのものであった。
【００５９】
（４）撥水剤塗布工程
撥水剤としては、ワックス系樹脂（日華化学株式会社製、ＴＨ−４４）を用いた。この撥水剤を水で５０倍に希釈した水溶液を、粒状物の質量に対して１０質量％塗布した。塗布は、粒状物を撹拌混合しながら該撥水剤の水溶液をスプレーして行った。
【００６０】
（５）篩い分け工程
得られた粒状物を、先ず目開き１０ｍｍ×１０ｍｍの篩で篩い分けて所定の大きさよりも大きい粒状物を除去し、その後目開き５ｍｍ×１０ｍｍの篩で篩い分けて所定の大きさよりも小さい粒状物や粉状物を除去した。そして、所定の範囲の大きさの粒状物を得た。
【００６１】
〔比較例〕
さらに上記実施例における粒状物との比較のため、増粘剤が添加されていない点を除いて上記実施例と同等構成の粒状物を用いて比較評価を行った。
【００６２】
上記実施例及び比較例で得られた動物用トイレ砂について、粒状物に係る平均粒重量（および密度）を測定した。
その結果として、本実施例においては、各粒状物における平均粒重量が０．２８グラム、平均粒密度が０．００１１ｇ／ｍｍ３であった。
一方、上記比較例においては、各粒状物における平均粒重量が０．３２グラム、平均粒密度が０．００１４ｇ／ｍｍ３であった。  
以上から理解されるように、本実施例においては、増粘剤を用いることの効果として、各粒状物の重量および密度を減少して、不必要な重量・密度アップを効果的に回避することが可能である。
【００６３】
上記の製造方法によって製造された動物用トイレ砂を用いた動物用トイレの構成例が図１および図２に示される。
【００６４】
当該動物用トイレ１００は、図１および図２に示すように、多数の粒状物の集合体として構成される動物用トイレ砂１４０を貯留する箱状の動物用トイレ砂収納容器１１０と、前記収納容器１１０の下方に位置し出し入れ自在に組み込まれた吸液シート１５０を収納する吸液シート収納容器１２０と、前記動物用トイレ砂収納容器１１０の上部に側面を覆うようにして設置された側面カバー１３０を主体に構成されている。トイレ砂収納容器１１０の底面部１１２は、複数の空孔１１４を有している。この空孔１１４は、多角形状または円形状に形成され、動物用トイレ砂１４０が下方へと通過することを規制し保持することができる大きさに設定される。そして当該底面部１１２上に動物用トイレ砂１４０が敷設されるとともに、吸液シート収納容器１２０内に、吸液シート１５０が敷設された状態で動物のトイレとしての利用に供される。
【符号の説明】
【００６５】
１００…動物用トイレ
１１０…動物用トイレ砂収納容器
１１１…底面部
１１２…底面部
１１４…空孔
１２０…吸液シート収納容器
１３０…側面カバー
１４０…動物用トイレ砂
１５０…吸液シート
【図１】
0005899023.tif 000002
【図２】
0005899023.tif 000003